(57)【要約】【課題】ガードレール部分を、垂直に延びる作業位置、又は水平に延びる格納位置のいずれかに固定するための、保持ピン、及びそれと関連するストラップ、又は保持ピンを紛失しないようにする他の保持具を不要とすること。【解決手段】ガードレール部分は、ガードレールサポート内に受入可能な脚と、脚に取り付けられる離隔された上側及び下側のガイドとを有する。上側及び下側のガイドは、ガードレールサポート内に受入可能であって、ガードレールサポートの内側表面と係合するための表面を有する。保持具が、ガードレールサポート内の下側ガイドを保持する。ガードレール部分は、それぞれ、下側の作動位置から上側の旋回位置へと持ち上げられ、この上側の旋回位置では、ガードレール部分は、下側のガイドを前記保持具と係合させることにより、サポート内に保持され、また下側のガイドの周りを、格納のための水平位置まで旋回する。【選択図】図１
2010269941.tif 000002
【特許請求の範囲】
【請求項１】
空中作業台とガードレールとからなるシステムであって、デッキを有する作業台と、前記デッキに取り付けられ、垂直に延びるガードレールサポートと、前記デッキの周囲に設けられたガードレール部分とを包含し、
前記ガードレール部分は、前記ガードレールサポートに受入可能な脚を有し、
前記ガードレールサポートのそれぞれは、前記デッキの上方に前記デッキと面して、垂直に延びる開口と、前記脚の少なくともいくつかに取り付けられ、離隔された上側及び下側のガイドと、前記ガイドの下側の１つを前記ガードレールサポート内に保持するための保持具とを有し、
前記上側及び下側のガイドは、前記ガードレールサポート内に受入可能であって、前記ガードレールサポートの垂直方向へ延びる長さよりも短い長さだけ離隔されており、かつ前記ガードレールサポートの内側表面と係合可能な接触面を有し、
それにより、ガードレール部分は、作動位置から、上側の旋回位置まで持ち上げられ、この旋回位置においては、前記ガードレール部分は、前記ガイドの下側のガイドを前記保持具に係合させることにより前記サポート内に保持され、またこの旋回位置においては、前記ガードレール部分は、前記サポートの前記開口を通って、前記ガイドの下側のガイドの周りを、格納のための水平位置まで旋回するようにしたシステム。
【請求項２】
前記ガイドの前記接触面は、前記ガードレールサポートと係合可能な、平坦な又は弓形の面を包含する、請求項１に記載のシステム。
【請求項３】
前記保持具が、前記ガードレールサポートの離隔された側部間に固定され及び延ばされた細長い部材を包含する、請求項１に記載のシステム。
【請求項４】
前記細長い部材が、取り外しが可能なネジを切られた部材を包含する、請求項２に記載のシステム。
【請求項５】
前記ガイドのうちの下側のガイドが、前記ガードレール部分の前記脚に回転可能に取り付けられている、請求項４に記載のシステム。
【請求項６】
前記デッキが、上側及び下側の水平に延びるフランジを有する、側部及び端部のフレーム部材を含み、前記ガードレールサポートが、前記下側の水平に延びるフランジ上に支持された下側端部を有し、前記サポートが前記上側の水平に延びるフランジの開口又は切欠きに受け入れられる、請求項１に記載のシステム。
【請求項７】
前記ガイドが滑らかな物質で出来ている、請求項６に記載のシステム
【請求項８】
空中作業台のためのガードレールシステムであって、
作業台のデッキフレームに対して、垂直位置で取り付けるための、複数のガードレールサポートと、前記ガードレールサポートに受入可能な脚を有する少なくとも１つのガードレール部分とを包含し、
前記ガードレールサポートは、前記デッキに面し、垂直に延びる開口と、前記脚のそれぞれの正反対の側に取り付けられた、上側及び下側のガイドと、前記ガイドの下側のガイドを前記ガードレールサポートに保持するための保持具とを有し、
前記上側及び下側のガイドは、前記ガードレールサポートに受入可能であって、前記ガードレールサポートの長さよりも短い長さだけ、前記脚に沿って離隔されており、かつ前記ガードレールサポートの内側表面と係合可能な接触領域を有し、
それにより、前記ガードレール部分は、作動位置から、上側の旋回位置へと持ち上げられ、その旋回位置においては、前記ガイドのうちの下側のガイドを前記保持具に係合させることによって、前記サポート内に保持され、かつ前記下側のガイドの周り、格納のための水平位置へと旋回するようにした、システム。
【請求項９】
前記ガイドの接触面が、前記ガードレールサポートと係合可能な平坦面を包含する、請求項８に記載のシステム。
【請求項１０】
前記保持具が、前記ガードレールサポートの離隔された側部に取り付けられ、かつそれらの側部間に延びる、細長い部材を包含する、請求項８に記載のシステム。
【請求項１１】
前記細長い部材が、取り外し可能なネジが切られた部材を包含する、請求項１０に記載のシステム。
【請求項１２】
前記ガイドの前記下側のガイドが、前記ガードレール部分の前記脚部に回転可能に取り付けられている、請求項９に記載のシステム。
【請求項１３】
前記ガイドが滑らかな物質により作られている、請求項８に記載のシステム。
【発明の詳細な説明】
【技術分野】
【０００１】
本発明は、空中作業台（aerial work platforms）とガードレール（guardrails）とからなるシステムに関する。
【背景技術】
【０００２】
空中作業台のためのガードレールは、安全のための義務的なものであり、安全基準は、典型的には、もたれかかったときに、作業者が落下して、重傷を負ったり、死亡したりすることを妨げるように、ガードレールは３００ポンドの外側への力に耐えねばならないことを要求している。典型的には、ガードレールは、デッキ（deck）から４２インチと４５インチとの間であり、沢山の分離された個々の部分（section）を包含する。
【０００３】
空中作業台は、かなりの高さ伸張できる伸張可能なブームや折り畳式リフト（scissor lift）によって、作業場所へと又は作業場所から移動され、輸送や格納のために降下されるときには、作業台は、地面を離れてなおも高い状態にある。そのため、特に、作業台装置がトラックやトレーラに載せられたときに、装置の高さを最小として、橋や他の障害物を安全にクリアするために、ガードレールを低下させる必要性が存在する。偶には、出入口を通って建物の中へと侵入するために、ガードレールを低下させる必要性も存在する。
【０００４】
ヒンジ結合されたガードレール部分は、よく知られているが、ガードレール部分を垂直に延びた作業位置と水平に延びた格納位置との双方において、ガードレール部分を保持するためには、取り外し可能なピンの使用を必要とする。これらの保持ピンは、輸送中や作業中において、落下したり紛失され、そのような理由で、通常は、ストラップ（lanyards）やその他のピン保持具が使用される。ガードレールを持ち上げたり下ろしたりするときには、時間のかかる、面倒なピンの取り外し作業が要求され、一方の腕でガードレール部分を支えながら、他方の腕でピンを取り付けたり取り外したりせねばならず、装置（machine）が傾斜地（slope）に位置するときには、特に困難であることから、作業者の欲求不満が増加する。
【発明の概要】
【発明が解決しようとする課題】
【０００５】
本発明は、従来システムにおける上述の問題点に着目してなされたものであり、その目的とするところは、この種の空中作業台とガードレールとからなるシステムにおいて、ガードレール部分を、垂直に延びる作業位置、又は水平に延びる格納位置のいずれかに固定するための、保持ピン、及びそれと関連するストラップ、又は保持ピンを紛失しないようにする他の保持具を不要とすることが可能なシステムを提供することにある。
【課題を解決するための手段】
【０００６】
本発明は、空中作業台とガードレールとからなるシステムであって、デッキを有する作業台と、前記デッキに取り付けられ、垂直に延びるガードレールサポートと、前記デッキの周囲に設けられたガードレール部分とを包含する。
【０００７】
前記ガードレール部分は、前記ガードレールサポートに受入可能な脚を有し、前記ガードレールサポートのそれぞれは、前記デッキの上方に前記デッキと面して、垂直に延びる開口と、前記脚の少なくともいくつかに取り付けられ、離隔された上側及び下側のガイドと、前記ガイドの下側の１つを前記ガードレールサポート内に保持するための保持具とを有し、前記上側及び下側のガイドは、前記ガードレールサポート内に受入可能であって、前記ガードレールサポートの垂直方向へ延びる長さよりも短い長さだけ離隔されており、かつ前記ガードレールサポートの内側表面と係合可能な接触面を有する。
【０００８】
それにより、ガードレール部分は、作動位置から、上側の旋回位置まで持ち上げられ、この旋回位置においては、前記ガードレール部分は、前記ガイドの下側のガイドを前記保持具に係合させることにより前記サポート内に保持され、またこの旋回位置においては、前記ガードレール部分は、前記サポートの前記開口を通って、前記ガイドの下側のガイドの周りを、格納のための水平位置まで旋回する。
【０００９】
本発明において、前記ガイドの前記接触面は、前記ガードレールサポートと係合可能な、平坦な又は弓形の面を包含する、ものであってもよい。
【００１０】
本発明において、前記保持具が、前記ガードレールサポートの離隔された側部間に固定され及び延ばされた細長い部材を包含する、ものであってもよい。このとき、前記細長い部材が、取り外しが可能なネジを切られた部材を包含する、ものであってもよい。このとき、前記ガイドのうちの下側のガイドが、前記ガードレール部分の前記脚に回転可能に取り付けられている、ものであってもよい。
【００１１】
本発明において、前記デッキが、上側及び下側の水平に延びるフランジを有する、側部及び端部のフレーム部材を含み、前記ガードレールサポートが、前記下側の水平に延びるフランジ上に支持された下側端部を有し、前記サポートが前記上側の水平に延びるフランジの開口又は切欠きに受け入れられる、ものであってもよい。このとき、前記ガイドが滑らかな物質で出来ている、ものであってもよい。
【００１２】
別の一面から見た本発明は、空中作業台のためのガードレールシステムであって、作業台のデッキフレームに対して、垂直位置で取り付けるための、複数のガードレールサポートと、前記ガードレールサポートに受入可能な脚を有する少なくとも１つのガードレール部分とを包含する。
【００１３】
前記ガードレールサポートは、前記デッキに面し、垂直に延びる開口と、前記脚のそれぞれの正反対の側に取り付けられた、上側及び下側のガイドと、前記ガイドの下側のガイドを前記ガードレールサポートに保持するための保持具とを有し、前記上側及び下側のガイドは、前記ガードレールサポートに受入可能であって、前記ガードレールサポートの長さよりも短い長さだけ、前記脚に沿って離隔されており、かつ前記ガードレールサポートの内側表面と係合可能な接触領域を有する。
【００１４】
それにより、前記ガードレール部分は、作動位置から、上側の旋回位置へと持ち上げられ、その旋回位置においては、前記ガイドのうちの下側のガイドを前記保持具に係合させることによって、前記サポート内に保持され、かつ前記下側のガイドの周り、格納のための水平位置へと旋回する。
【００１５】
上述の発明において、前記ガイドの接触面が、前記ガードレールサポートと係合可能な平坦面を包含する、ものであってもよい。
【００１６】
上述の発明において、前記保持具が、前記ガードレールサポートの離隔された側部に取り付けられ、かつそれらの側部間に延びる、細長い部材を包含する、ものであってもよい。このとき、前記細長い部材が、取り外し可能なネジが切られた部材を包含する、ものであってもよく、前記ガイドの前記下側のガイドが、前記ガードレール部分の前記脚部に回転可能に取り付けられている、ものであってもよい。
【００１７】
上述の発明において、前記ガイドが滑らかな物質により作られている、ものであってもよい。
【発明の効果】
【００１８】
本発明によれば、ガードレール部分を、垂直に延びる作業位置、又は水平に延びる格納位置のいずれかに固定するための、保持ピン、及びそれと関連するストラップ、又は保持ピンを紛失しないようにする他の保持具を不要とすることができる。
【図面の簡単な説明】
【００１９】
【図１】側縁部及び端縁部のそれぞれにガードレール部分を有し、かつそれらの１つが格納のために水平方向へ向けられた状態として示されている、長方形状の空中作業台の透視図である。
【図２】ガードレールサポートを示す、作業台の一方の側の、拡大された、部分透視図である。
【図３】ガードレールサポートに係合された作動位置における、ガードレールを示す、図２の３−３線拡大水平断面図である。
【図４】ガードレールサポート内に位置するガードレール脚部を示す、部分透視図である。
【図５】後に水平格納位置へと折り畳むために、一部がサポートから持ち上げられた状態にある、ガードレール脚部を示す、部分透視図である。
【図６】水平な格納位置へと折り畳まれたガードレール脚部を示す部分透視図である。
【発明を実施するための形態】
【００２０】
ここに開示されたシステムは、デッキを有する作業台と、前記デッキに取り付けられて、垂直に延びるガードレールと、前記デッキの外周に設けられたガードレール部分とを包含する。前記ガードレール部分は、前記デッキに面する開口側を有する溝を包含する、前記ガードレールサポート内に受入可能な脚を有する。ホッケー用パックに似ていないわけではない、上下に間隔をあけたガイドが、ガードレールの脚に取り付けられ、それらのガイドは、ガードレールサポート内に収容可能であり、そして、互いに離隔されており、前記ガードレールサポートの長さよりも短い長さを有する。前記ガイドは、前記ガードレールサポートの内表面と係合可能な接触面を有する。保持具（retainer）は、ガードレールサポートにおける下側のガイドを保持し、それにより、ガードレール部分は、作動位置から上方の旋回位置へと持ち上げられ、この旋回位置においては、ガードレール部分は、下方のガイドを保持具に係合させることによって、サポート内に保持される。ガードレール部分は、下方のガイドの回りを、格納のための水平位置へと回転させられる。
【００２１】
ここに使用されているように、「水平」及び「垂直」という語は、おおよそな表現であって、厳密に幾何学的な０°及び９０°に限定されるものではなく、装置がほぼ水平面上にある時に、作動（又は垂直）位置にあるガードレール部分が占める位置と関連するものである。
【００２２】
図１は、図示しない、折り畳み式又はブーム式リフトと共に使用するのに適した、空中作業台及びガードレールシステムの透視図である。作業台１０は、デッキ１２を含む。デッキ１２は、図２に示されるように、上側及び下側に離隔され、内方へ延び、作業台と面する、水平フランジ１６，１８を有する、構造部材を包含する、ほぼ長方形状のデッキフレーム１４の上に支持されている。図１に示される実施例においては、２つの細長いガードレール部分２０，２２が、デッキ１２の一方の長辺に使用されている。デッキの一方の短辺には、１個のガードレール部分２４が設けられ、作業台のデッキの他の短辺には、３つの独立したガードレール部分２６〜２８が設けられ、それらの中央のもの２７は、入口部分又は垂直に持ち上げ可能なゲートである。
【００２３】
それぞれのガードレール部分は、少なくとも２本の脚３０，３２と、それらの脚間に延びる、ほぼ水平方向へ延びる、一対のほぼ水平なガードレール部材３４，３６とを有する。ガードレール部分及び以下により詳細に述べられるガードレールサポート構築のためには、管状金属材料が一般的に使用される。各脚の下側端部は、デッキ又はデッキフレームに取り付けられたほぼ垂直に延びるガードレールサポート４０に収容可能とされている。サポート４０は、好ましくは、作業台のデッキに面する開口側を有する、溝部を包含する。ガードレールサポート４０もまた、垂直方向へ延び、デッキの上方にあってデッキに面する、断面長方形又は正方形の材料で作られている。
【００２４】
離隔された上側及び下側のガイド５０，５２が、ガードレール部分の脚のそれぞれの横方向に互いに反対側の面に取り付けられており、それらのガイドはガードレールサポート４０内に緊密に収容可能とされている。それらのガイドは、下側ガイド５２が脚３０，３２の下側端部に位置する時、脚３０，３２とほぼ同一の幅又は直径を有している。それらのガイドは、ガードレール部分が垂直方向へ延びる作動位置にある時に、ガードレール部分が最大の安定性を得るように、ガードレールサポート４０の垂直方向距離よりも、好ましくは僅かだけ短い距離だけ、垂直方向へ互いに離隔されている。ガイド５０，５２は、ガードレールサポート４０の垂直方向へ延びる内面と、係合することができる、接触面を有する。それらのガイドは、その周面が、デッキの長手方向とほぼ平行なガードレールサポート４０の内側表面（図３の符号４１）と作動的に当接し、またその外部に露出する外側表面が、デッキの短手方向とほぼ平行に延びる、サポート４０の内側表面と係合するような、サイズとされている。ガイド５０及び５２は、図５に示されるように、好ましくは六角形であり、ホッケー用パックのサイズ及び形状と似た円筒状であり、好ましくは、ナイロンのような、滑らかな物質で作られる。
【００２５】
ガイド保持具５４，５６は、好ましくは、細長いネジの切られたボルトと締付ナットの形状をしており、ガードレールサポート４０において、それらのガイドのうちの下側の１つ５２を保持する。それらの保持具は、図３に示されるように、それらのガイドの下側の１つの上方に位置づけられ、それにより、ガードレール部分は、ほぼ水平に延びる作動位置から、ガードレール部分が、下側ガイド５２を保持具５４，５６と接触させることによってサポート内に保持される、上側旋回位置まで、持ち上げられ、ガードレール部分は、その後、下側ガイド５２の周りを、格納のための水平位置まで旋回される。ガードレール部分の、格納位置に到る、持ち上げ動作及び旋回動作を示す、図１及び図２の矢印を参照されたい。図１に示されるように、１つのガードレール部分は、水平位置へと旋回されている。上側及び下側の保持具５０，５２は、好ましくは、支持軸によって、ガードレール部分の脚部に、回転可能に取り付けられる。
【００２６】
図２を参照しながら上述したように、典型的なデッキフレーム１４は、上側及び下側の、水平に延びるフランジ１６，１８を有する、溝部分の形状を有する、側部及び端部のフレーム部材を含んでおり、それにより、ガードレールサポート４０は、デッキフレームの下側の水平に延びるフランジに、接触及び支持された、下側端部を有することとなる。デッキフレームの上側フランジは、垂直に延びるガードレールサポート４０を収容するために、開口又は切欠きが設けられている。上で開示されたガードレールシステムによれば、ガードレール部分を、垂直に延びる作業位置、又は水平に延びる格納位置のいずれかに固定するための、保持ピン、及びそれと関連するストラップ、又は保持ピンを紛失しないようにする他の保持具を不要とすることができる。ここで開示されたような、多数のガードレール部分及びサポートを包含するガードレールシステムは、既存の作業台に容易に組み込むことができる。
【００２７】
当業者であれば、ここに図示され及び述べられた好ましい実施例の様々な変更を、添付のクレームにより定義された本発明の及ぶ範囲から逸脱することなく、為し得るはずである。
【産業上の利用可能性】
【００２８】
本発明は、空中作業台とガードレールとからなるシステムにおいて、ガードレール部分を、垂直に延びる作業位置、又は水平に延びる格納位置のいずれかに固定するための、保持ピン、及びそれと関連するストラップ、又は保持ピンを紛失しないようにする他の保持具を不要とすることに利用することができる。
【符号の説明】
【００２９】
１０          作業台
１２          デッキ
１４          デッキフレーム
１６          水平フランジ
１８          水平フランジ
２０          長辺側のガードレール部分
２２          長辺側のガードレール部分
２４          短辺側のガードレール部分
２６〜２８    短辺側のガードレール部分
３０          脚
３２          脚
３４          ガードレール部材
３６          ガードレール部材
４０          ガードレールサポート
４１          内側表面
５０          上側のガイド
５２          下側のガイド
５４          ガイド保持具
５６          ガイド保持具
【図１】
2010269941.tif 000003
【図２】
2010269941.tif 000004
【図３】
2010269941.tif 000005
【図４】
2010269941.tif 000006
【図５】
2010269941.tif 000007
【図６】
2010269941.tif 000008
【外国語明細書】
2010269941.tif 000009
2010269941.tif 000010
2010269941.tif 000011
2010269941.tif 000012
2010269941.tif 000013
2010269941.tif 000014
2010269941.tif 000015
2010269941.tif 000016
2010269941.tif 000017
2010269941.tif 000018
2010269941.tif 000019
2010269941.tif 000020
2010269941.tif 000021